(57)【要約】【課題】印刷設定のための操作を容易にすることを課題とする。【解決手段】端末装置は、ユーザ識別情報を画像形成装置に送信し、画像形成装置を利用した印刷設定時のユーザ操作の操作情報を画像形成装置から受信する。端末装置は、操作情報に対応する第１設定画像を表示し、印刷設定情報を受け付ける。端末装置は、印刷設定情報の送信要求に応じて、印刷設定情報を画像形成装置に送信する。画像形成装置は、端末装置からユーザ情報を受信し、印刷設定のための第２設定画像を表示し、印刷設定をもとに印刷処理を実行する。画像形成装置は、第２設定画像でのユーザ操作に応じた操作情報を端末装置に送信する。画像形成装置は、第１設定画像を用いた印刷設定が端末装置で行なわれている場合に、端末装置から印刷設定情報を受け付けて、受け付けた印刷設定情報をもとに印刷処理を実行する。【選択図】図５
2014219784.tif 000002
【特許請求の範囲】
【請求項１】
端末装置と画像形成装置とを有する印刷システムであって、
前記端末装置は、
前記画像形成装置と通信する機器通信部と、
前記画像形成装置に印刷処理を実行させるためのユーザ操作によって設定された情報を表す操作情報に対応する第１設定画像を表示部に表示させる表示制御部と、
表示された前記第１設定画像を用いて設定された印刷設定情報を受け付ける設定受付部と、
前記機器通信部を介して、前記印刷設定情報を前記画像形成装置に対して送信する設定情報送信部と、を有し、
前記画像形成装置は、
前記端末装置と通信する端末通信部と、
前記操作情報に対応する前記第１設定画像を用いた印刷設定が前記端末装置で行なわれているか否かを判定する設定判定部と、
前記第１設定画像を用いた印刷設定が前記端末装置で行なわれていると判定された場合に、前記端末通信部を介して、前記印刷設定情報を受信する設定情報受信部と、
受信された前記印刷設定情報に基づいて印刷処理を実行する印刷処理部と
を有することを特徴とする印刷システム。
【請求項２】
前記端末装置は、
前記機器通信部を介して、前記端末装置のユーザを識別するユーザ識別情報を前記画像形成装置に対して送信するユーザ情報送信部と、
前記機器通信部を介して、前記操作情報を受信する操作情報受信部と、をさらに有し、
前記表示制御部は、受信された前記操作情報に対応する前記第１設定画像を表示部に表示させ、
前記画像形成装置は、
前記端末通信部を介して、前記ユーザ識別情報を受信するユーザ情報受信部と、
受信された前記ユーザ識別情報に基づいて、前記ユーザがログイン状態であるか否かを判定する状態判定部と、
前記ユーザがログイン状態でないと判定された場合に、設定可能な印刷設定情報に対応する第２設定画像を表示部に表示させる表示制御部と、
表示された前記第２設定画像において、ユーザ操作が行なわれたか否かを判定する操作判定部と、
前記ユーザ操作が行なわれたと判定された場合に、前記第２設定画像を用いて設定された前記操作情報を受け付ける操作受付部と、
前記操作情報に基づいた印刷処理の実行後に、前記ユーザがログイン状態であると判定された場合に、前記端末通信部を介して、前記第２設定画像を用いて設定された前記操作情報を前記端末装置に対して送信する操作情報送信部と、をさらに有し、
前記印刷処理部は、受け付けられた前記操作情報に基づいて印刷処理を実行し、
前記設定判定部は、前記ユーザ操作が行なわれていないと判定された状態において、前記ユーザがログイン状態であると判定された場合に、前記操作情報に対応する前記第１設定画像を用いた印刷設定が前記端末装置で行なわれているか否かを判定する
ことを特徴とする請求項１に記載の印刷システム。
【請求項３】
前記端末装置は、
ユーザ認証を実行する認証部をさらに有し、
前記ユーザ情報送信部は、前記認証部によって正規ユーザの認証が実行された場合に、前記ユーザ識別情報を前記画像形成装置に対して送信し、
前記表示制御部は、前記認証部によって正規ユーザの認証が実行された場合に、前記第１設定画像を表示部に表示することを特徴とする請求項２に記載の印刷システム。
【請求項４】
前記認証部は、生体認証によってユーザ認証を実行することを特徴とする請求項３に記載の印刷システム。
【請求項５】
前記表示制御部は、前記操作情報の受信日時に応じて表示内容を変更した前記第１設定画像を表示部に表示させることを特徴とする請求項２に記載の印刷システム。
【請求項６】
前記機器通信部は、近距離無線通信により前記画像形成装置と通信し、
前記端末通信部は、前記近距離無線通信により前記端末装置と通信することを特徴とする請求項１又は２に記載の印刷システム。
【請求項７】
端末装置と通信する端末通信部と、
前記端末通信部を介して、端末装置のユーザを識別するユーザ識別情報を受信するユーザ情報受信部と、
受信された前記ユーザ識別情報に基づいて、前記ユーザがログイン状態であるか否かを判定する状態判定部と、
前記ユーザがログイン状態でないと判定された場合に、設定可能な印刷設定情報に対応する設定画像を表示部に表示させる表示制御部と、
表示された前記設定画像において、ユーザ操作が行なわれたか否かを判定する操作判定部と、
前記ユーザ操作が行なわれたと判定された場合に、前記設定画像を用いて設定された情報を表す操作情報を受け付ける操作受付部と、
受け付けられた前記操作情報に基づいて、印刷処理を実行する印刷処理部と、
前記操作情報に基づいた印刷処理の実行後に、前記ユーザがログイン状態であると判定された場合に、前記端末通信部を介して、前記設定画像を用いて設定された前記操作情報を前記端末装置に対して送信する操作情報送信部と、
前記ユーザ操作が行なわれていないと判定された状態において、前記ユーザがログイン状態であると判定された場合に、前記操作情報に対応する印刷設定が前記端末装置で行なわれているか否かを判定する設定判定部と、
前記操作情報に対応する印刷設定が前記端末装置で行なわれていると判定された場合に、前記端末通信部を介して、前記操作情報に対応する印刷設定の情報を表す印刷設定情報を受信する設定情報受信部と、を有し、
前記印刷処理部は、受信された前記印刷設定情報に基づいて、印刷処理を実行する
ことを特徴とする画像形成装置。
【請求項８】
画像形成装置と通信する機器通信部と、
前記機器通信部を介して、前記端末装置のユーザを識別するユーザ識別情報を前記画像形成装置に対して送信するユーザ情報送信部と、
前記機器通信部を介して、前記画像形成装置に印刷処理を実行させるためのユーザ操作によって設定された情報を表す操作情報を受信する操作情報受信部と、
受信された前記操作情報に対応する設定画像を表示部に表示させる表示制御部と、
表示された前記設定画像を用いて設定された印刷設定情報を受け付ける設定受付部と、
前記機器通信部を介して、前記印刷設定情報を前記画像形成装置に対して送信する設定情報送信部と
を有することを特徴とする端末装置。
【請求項９】
端末装置と画像形成装置とを有する印刷システムとしての印刷処理方法であって、
前記端末装置は、
前記画像形成装置と通信する機器通信部を有し、
前記機器通信部を介して、前記端末装置のユーザを識別するユーザ識別情報を前記画像形成装置に対して送信するユーザ情報送信ステップと、
前記機器通信部を介して、前記画像形成装置に印刷処理を実行させるためのユーザ操作によって設定された情報を表す操作情報を受信する操作情報受信ステップと、
受信された前記操作情報に対応する第１設定画像を表示部に表示させる表示制御ステップと、
表示された前記第１設定画像を用いて設定された印刷設定情報を受け付ける設定受付ステップと、
前記機器通信部を介して、前記印刷設定情報を前記画像形成装置に対して送信する設定情報送信ステップと、を含み、
前記画像形成装置は、
前記端末装置と通信する端末通信部を有し、
前記端末通信部を介して、前記ユーザ識別情報を受信するユーザ情報受信ステップと、
受信された前記ユーザ識別情報に基づいて、前記ユーザがログイン状態であるか否かを判定する状態判定ステップと、
前記ユーザがログイン状態でないと判定された場合に、設定可能な印刷設定情報に対応する第２設定画像を表示部に表示させる表示制御ステップと、
表示された前記第２設定画像において、ユーザ操作が行なわれたか否かを判定する操作判定ステップと、
前記ユーザ操作が行なわれたと判定された場合に、前記第２設定画像を用いて設定された前記操作情報を受け付ける操作受付ステップと、
受け付けられた前記操作情報に基づいて、印刷処理を実行する印刷処理ステップと、
前記操作情報に基づいた印刷処理の実行後に、前記ユーザがログイン状態であると判定された場合に、前記端末通信部を介して、前記第２設定画像を用いて設定された前記操作情報を前記端末装置に対して送信する操作情報送信ステップと、
前記ユーザ操作が行なわれていないと判定された状態において、前記ユーザがログイン状態であると判定された場合に、前記操作情報に対応する前記第１設定画像を用いた印刷設定が前記端末装置で行なわれているか否かを判定する設定判定ステップと、
前記第１設定画像を用いた印刷設定が前記端末装置で行なわれていると判定された場合に、前記端末通信部を介して、前記印刷設定情報を受信する設定情報受信ステップと、を含み、
前記印刷処理ステップは、受信された前記印刷設定情報に基づいて、印刷処理を実行する
ことを特徴とする印刷処理方法。
【発明の詳細な説明】
【技術分野】
【０００１】
本発明は、印刷システム、画像形成装置、端末装置及び印刷処理方法に関する。
【背景技術】
【０００２】
従来、ＭＦＰ（Multi  Function  Printer）等の画像形成装置では、各種の印刷設定情報にしたがってコピーや印刷等が実行される。印刷設定情報は、例えば、用紙のサイズ（倍率）、片面印刷、両面印刷、カラー印刷、白黒印刷等のコピーや印刷の項目に関するものである。このような印刷設定情報は、画像形成装置の操作パネルから設定されるだけでなく、画像形成装置に接続可能な端末装置から入力される場合もある。
【０００３】
端末装置は、ユーザ操作により印刷設定情報の入力を受け付けると、印刷設定情報を画像形成装置に対して送信する。画像形成装置は、端末装置から印刷設定情報を受信し、印刷設定情報にしたがってコピーや印刷等を実行する。なお、端末装置は、例えば、携帯電話機やスマートフォン、タブレット端末等のユーザ所有の携帯端末装置である。また、端末装置と画像形成装置との通信は、例えば、ＮＦＣ（Near  Field  Communication）等の近距離無線通信を利用する。
【発明の概要】
【発明が解決しようとする課題】
【０００４】
しかしながら、上述した従来技術は、印刷設定のための操作が煩雑であるという問題がある。具体的には、従来技術は、画像形成装置にコピーや印刷等を実行させるために、用紙のサイズ（倍率）、片面印刷、両面印刷、カラー印刷、白黒印刷等のコピーや印刷の項目を設定する印刷設定の操作をユーザに行なわせることになる。かかる印刷設定はコピーや印刷等の実行のたびに行われるものであるため、印刷設定のための操作が煩雑である。
【０００５】
本発明は、上記に鑑みてなされたものであって、印刷設定のための操作を容易にすることが可能である印刷システム、画像形成装置、端末装置及び印刷処理方法を提供することを目的とする。
【課題を解決するための手段】
【０００６】
上述した課題を解決し、目的を達成するため、本発明に係る印刷システムは、端末装置と画像形成装置とを有する印刷システムであって、前記端末装置は、前記画像形成装置と通信する機器通信部と、前記画像形成装置に印刷処理を実行させるためのユーザ操作によって設定された情報を表す操作情報に対応する第１設定画像を表示部に表示させる表示制御部と、表示された前記第１設定画像を用いて設定された印刷設定情報を受け付ける設定受付部と、前記機器通信部を介して、前記印刷設定情報を前記画像形成装置に対して送信する設定情報送信部と、を有し、前記画像形成装置は、前記端末装置と通信する端末通信部と、前記操作情報に対応する前記第１設定画像を用いた印刷設定が前記端末装置で行なわれているか否かを判定する設定判定部と、前記第１設定画像を用いた印刷設定が前記端末装置で行なわれていると判定された場合に、前記端末通信部を介して、前記印刷設定情報を受信する設定情報受信部と、受信された前記印刷設定情報に基づいて印刷処理を実行する印刷処理部とを有することを特徴とする。
【発明の効果】
【０００７】
本発明の一つの様態によれば、印刷設定のための操作を容易にすることができるという効果を奏する。
【図面の簡単な説明】
【０００８】
【図１】図１は、実施の形態１に係る印刷システムの構成例を示す図である。
【図２】図２は、実施の形態１に係る端末装置の外観の例を示す図である。
【図３】図３は、実施の形態１に係る端末装置のハードウェア構成例を示す図である。
【図４】図４は、実施の形態１に係る画像形成装置のハードウェア構成例を示す図である。
【図５】図５は、実施の形態１に係る端末装置及び画像形成装置の構成例を示す機能ブロック図である。
【図６】図６は、ユーザ情報テーブルの情報例を示す図である。
【図７】図７は、実施の形態１に係る端末装置の操作画面例を示す図である。
【図８】図８は、端末装置の印刷設定情報テーブルの情報例を示す図である。
【図９】図９は、実施の形態１に係る設定情報送信部によって送信される情報例を説明する図である。
【図１０】図１０は、実施の形態１に係る画像形成装置の操作画面例を示す図である。
【図１１】図１１は、画像形成装置の操作情報テーブルの情報例を示す図である。
【図１２】図１２は、実施の形態１に係る画像形成装置の操作画面を用いた印刷処理の流れの例を示すフローチャートである。
【図１３】図１３は、実施の形態１に係る画像形成装置による操作情報の送信処理の流れの例を示すフローチャートである。
【図１４】図１４は、実施の形態１に係る端末装置の操作画面を用いた印刷処理の流れの例を示すフローチャートである。
【図１５】図１５は、実施の形態１に係る端末装置における処理の流れの例を示すフローチャートである。
【図１６】図１６は、実施の形態２に係る端末装置の操作画面例を示す図である。
【発明を実施するための形態】
【０００９】
以下に添付図面を参照して、本発明に係る印刷システム、画像形成装置、端末装置及び印刷処理方法の実施の形態を説明する。なお、以下の実施の形態により本発明が限定されるものではない。
【００１０】
（実施の形態１）
［実施の形態１に係るシステム構成］
図１を用いて、実施の形態１に係る印刷システムの構成を説明する。図１は、実施の形態１に係る印刷システムの構成例を示す図である。
【００１１】
図１に示すように、印刷システム１には、端末装置１０と、画像形成装置５０とが含まれる。これらの装置は、ＮＦＣ（Near  Field  Communication）等の近距離無線通信により各種データを互いに送受できる。端末装置１０は、携帯電話機やスマートフォン、タブレット端末等のユーザ所有の携帯端末装置等である。また、画像形成装置５０は、コピー機能、印刷機能、スキャナ機能及びファクシミリ機能のうち、少なくともコピー機能又は印刷機能を有するＭＦＰ（Multi  Function  Printer：複合機）である。
【００１２】
上述した構成において、ユーザは、画像形成装置５０を利用するために、画像形成装置５０の所定位置に端末装置１０をかざす。これにより、端末装置１０と画像形成装置５０とのＮＦＣによる通信が可能となる。ＮＦＣにより、端末装置１０から画像形成装置５０に対してユーザ情報が送信され、画像形成装置５０へのログインが実行される。ここで、画像形成装置５０の操作画面には、用紙のサイズ（倍率）、片面印刷、両面印刷、カラー印刷、白黒印刷等のコピーや印刷の項目に関する印刷設定情報に対応する画像が表示される。ユーザは、画像形成装置５０の操作画面を操作し、印刷開始ボタンを押下する。これにより、画像形成装置５０は、ユーザ操作により設定された印刷設定に応じて印刷処理を実行する。また、画像形成装置５０は、操作画面においてユーザ操作により選択された印刷設定を、ユーザによって操作された操作情報としてメモリに格納する。なお、端末装置１０の利用については、生体認証等のユーザ認証を行ったうえでユーザ操作を可能にしても良い。
【００１３】
画像形成装置５０によって操作情報がメモリに格納された後に、画像形成装置５０の所定位置に端末装置１０がユーザによって再度かざされた場合に、端末装置１０は、画像形成装置５０に対してユーザ情報を再度送信する。画像形成装置５０は、受信したユーザ情報が現在ログイン状態であるユーザ情報と一致した場合に、メモリに記憶された操作情報を端末装置１０に対して送信する。端末装置１０は、画像形成装置５０から操作情報を受信し、受信した操作情報をメモリに格納する。なお、ここでも、端末装置１０の利用については、生体認証等のユーザ認証を行ったうえでユーザ操作を可能にしても良い。
【００１４】
その後、ユーザは、端末装置１０の操作画面を利用して、印刷設定を行なう。端末装置１０の操作画面には、メモリに記憶された操作情報に対応する画像が表示される。すなわち、端末装置１０の操作画面には、画像形成装置５０を利用したときに設定した印刷設定を選択するための画像が表示される。これにより、画像形成装置５０を利用して設定した印刷設定については、用紙のサイズ（倍率）、片面印刷、両面印刷、カラー印刷、白黒印刷等の各項目を選択しなくても容易に設定することができる。ここで、端末装置１０は、選択された印刷設定に対応する操作情報であって、メモリに記憶された操作情報に対応付けて、操作画面を用いて印刷設定されたことを表すフラグ情報を格納する。なお、ここでも、端末装置１０の利用については、生体認証等のユーザ認証を行なったうえでユーザ操作を可能にしても良い。
【００１５】
そして、ユーザは、画像形成装置５０を利用するために、画像形成装置５０の所定位置に端末装置１０をかざす。これにより、端末装置１０と画像形成装置５０とのＮＦＣによる通信が可能となる。ＮＦＣにより、端末装置１０から画像形成装置５０に対してユーザ情報が送信され、画像形成装置５０へのログインが実行される。画像形成装置５０は、上述したように、印刷設定情報に対応する画像を操作画面に表示する。但し、ユーザは、端末装置１０の操作画面を利用して設定した印刷設定を反映した印刷処理を実行させたいため、画像形成装置５０の操作画面を利用した印刷設定を行なわないものとする。
【００１６】
続いて、ユーザは、端末装置１０の操作画面を利用して設定した印刷設定を反映した印刷処理を実行させるために、画像形成装置５０の所定位置に端末装置１０を再度かざす。画像形成装置５０は、操作画面を利用した印刷設定が行なわれずに、ログイン状態のユーザ情報を再度受信したことから、端末装置１０にフラグ情報が存在するか否かを判定する。そして、画像形成装置５０は、フラグ情報が存在すると判定した場合に、該フラグ情報に対応する印刷設定情報の送信を端末装置１０に対して要求する。端末装置１０は、要求に応じて、印刷設定情報を画像形成装置５０に対して送信する。これにより、画像形成装置５０は、印刷設定情報に応じて印刷処理を実行する。
【００１７】
つまり、印刷システム１では、画像形成装置５０で印刷したときに設定した印刷設定について、以降の印刷では端末装置１０から簡易に設定することができるので、印刷設定のための操作を容易にすることができる。また、印刷システム１では、生体認証等のユーザ認証を経てから端末装置１０のユーザ操作を可能にするので、端末装置１０を所有するユーザ以外の第三者によって利用されることを防ぐ等、セキュリティの向上をはかることができる。
【００１８】
［実施の形態１に係る端末装置の外観］
次に、図２を用いて、実施の形態１に係る端末装置１０の外観を説明する。図２は、実施の形態１に係る端末装置１０の外観の例を示す図である。
【００１９】
図２に示すように、端末装置１０は、操作表示部１０１と、生体認証入力部１０２とを有する。これらのうち、操作表示部１０１は、各種情報を表示するとともに、ユーザ操作による入力を受け付けるタッチパネルである。また、生体認証入力部１０２は、指紋認証等の生体認証のための生体情報を入力するセンサである。生体認証入力部１０２に指が接触されると、生体情報が入力される。
【００２０】
［実施の形態１に係る端末装置のハードウェア構成］
次に、図３を用いて、実施の形態１に係る端末装置１０のハードウェア構成を説明する。図３は、実施の形態１に係る端末装置１０のハードウェア構成例を示す図である。
【００２１】
図３に示すように、端末装置１０は、メインＣＰＵ１１１と、ＲＯＭ１１２と、ＲＡＭ１１３と、操作入力Ｉ／Ｆ１１４と、操作入力部１１５と、表示Ｉ／Ｆ１１６と、表示部１１７と、生体認証Ｉ／Ｆ１１８と、生体認証入力部１１９と、近距離無線通信Ｉ／Ｆ１２０とを有する。また、上記の各ハードウェアは、バス１２１に接続されている。
【００２２】
メインＣＰＵ１１１は、ＲＯＭ１１２等に記憶されたプログラムを読み出して実行し、端末装置１０の各部を制御する。ＲＯＭ１１２は、メインＣＰＵ１１１によって実行されるプログラムを記憶する。ＲＡＭ１１３は、メインＣＰＵ１１１によって実行されるプログラムが展開され、各種処理を実行する際のワークエリアとして利用される。操作入力Ｉ／Ｆ１１４は、操作入力部１１５をメインＣＰＵ１１１から制御できるようにするためのインタフェースである。操作入力部１１５は、ユーザ操作による各種情報の入力を受け付ける。かかる操作入力部１１５は、タッチパネルであっても良いし、操作キー等の入力装置により構成されても良い。
【００２３】
表示Ｉ／Ｆ１１６は、表示部１１７をメインＣＰＵ１１１から制御できるようにするためのインタフェースである。表示部１１７は、各種情報を表示する表示装置であり、タッチパネルであっても良いし、液晶ディスプレイ等の表示装置により構成されても良い。生体認証Ｉ／Ｆ１１８は、生体認証入力部１１９をメインＣＰＵ１１１から制御できるようにするためのインタフェースである。生体認証入力部１１９は、上述した生体認証入力部１０２に相当する。近距離無線通信Ｉ／Ｆ１２０は、ＮＦＣによる通信をメインＣＰＵ１１１から制御できるようにするためのインタフェースである。
【００２４】
［実施の形態１に係る画像形成装置のハードウェア構成］
次に、図４を用いて、実施の形態１に係る画像形成装置５０のハードウェア構成を説明する。図４は、実施の形態１に係る画像形成装置５０のハードウェア構成例を示す図である。
【００２５】
図４に示すように、画像形成装置５０は、メインＣＰＵ５１１と、ＲＯＭ５１２と、ＲＡＭ５１３と、操作入力Ｉ／Ｆ５１４と、操作入力部５１５と、表示Ｉ／Ｆ５１６と、表示部５１７と、エンジンＩ／Ｆ５１８と、印刷処理部５１９と、近距離無線通信Ｉ／Ｆ５２０とを有する。また、上記の各ハードウェアは、バス５２１に接続されている。
【００２６】
メインＣＰＵ５１１は、ＲＯＭ５１２等に記憶されたプログラムを読み出して実行し、画像形成装置５０の各部を制御する。ＲＯＭ５１２は、メインＣＰＵ５１１によって実行されるプログラムを記憶する。ＲＡＭ５１３は、メインＣＰＵ５１１によって実行されるプログラムが展開され、各種処理を実行する際のワークエリアとして利用される。操作入力Ｉ／Ｆ５１４は、操作入力部５１５をメインＣＰＵ５１１から制御できるようにするためのインタフェースである。操作入力部５１５は、ユーザ操作による各種情報の入力を受け付ける。かかる操作入力部５１５は、タッチパネルであっても良いし、操作キー等の入力装置により構成されても良い。
【００２７】
表示Ｉ／Ｆ５１６は、表示部５１７をメインＣＰＵ５１１から制御できるようにするためのインタフェースである。表示部５１７は、各種情報を表示する表示装置であり、タッチパネルであっても良いし、液晶ディスプレイ等の表示装置により構成されても良い。エンジンＩ／Ｆ５１８は、印刷処理部５１９をメインＣＰＵ５１１から制御できるようにするためのインタフェースである。印刷処理部５１９は、印刷処理等の画像形成処理を実行する。近距離無線通信Ｉ／Ｆ５２０は、ＮＦＣによる通信をメインＣＰＵ５１１から制御できるようにするためのインタフェースである。
【００２８】
［実施の形態１に係る装置構成］
次に、図５を用いて、実施の形態１に係る装置構成を説明する。図５は、実施の形態１に係る端末装置１０及び画像形成装置５０の構成例を示す機能ブロック図である。
【００２９】
図５に示すように、端末装置１０は、認証部１１と、機器通信部１２と、ユーザ情報送信部１３と、記憶部１４と、操作情報受信部１５と、表示制御部１６と、操作表示部１７と、設定受付部１８と、設定情報送信部１９とを有する。
【００３０】
認証部１１は、端末装置１０を所有するユーザの認証を実行する。より具体的には、認証部１１は、生体認証入力部１０２に指が接触され、生体情報が入力されると、入力された生体情報と、記憶部１４に予め記憶されている生体情報とを比較し、双方の生体情報が一致しているか否かに応じて認証を実行する。そして、認証部１１は、認証結果をユーザ情報送信部１３や表示制御部１６に対して出力する。なお、認証部１１による認証処理は、予め定めたユーザＩＤやパスワード等によって認証しても良い。
【００３１】
機器通信部１２は、画像形成装置５０と通信する。より具体的には、機器通信部１２は、ＮＦＣ等により、端末装置１０から所定の範囲（例えば、数センチメートルから１メール程度）内に存在する画像形成装置５０と近距離無線通信を行ない、各種情報を送受信する。
【００３２】
ユーザ情報送信部１３は、端末装置１０のユーザを識別するユーザ識別情報を送信する。より具体的には、ユーザ情報送信部１３は、機器通信部１２を介して、端末装置１０を所有するユーザを識別する個人ＩＤ等のユーザ識別情報を、画像形成装置５０に対して送信する。個人ＩＤは、端末装置１０を所有するユーザ個人を識別するための情報であり、予め定められた社員番号等の情報が設定される。また、個人ＩＤは、記憶部１４に記憶されている。ユーザ情報送信部１３による個人ＩＤ送信のトリガは、機器通信部１２による画像形成装置５０との通信が可能になったときである。すなわち、ユーザによって画像形成装置５０の所定位置に端末装置１０がかざされ、端末装置１０と画像形成装置５０とのＮＦＣによる通信が確立されたときである。但し、ユーザ情報送信部１３は、認証部１１によって出力された認証結果が不一致である場合に、個人ＩＤの送信処理を実行しない。
【００３３】
記憶部１４は、端末装置１０による処理で利用される各種情報を記憶する。例えば、記憶部１４は、ユーザ情報テーブルを保持する。図６は、ユーザ情報テーブルの情報例を示す図である。図６に示すように、ユーザ情報テーブルは、個人ＩＤと、生体認証データ（例えば、指紋データ）との情報を含む。例えば、個人ＩＤは３２バイト以内の情報であり、生体認証データは数十メガバイトから数メガバイトの情報である。上述したように、個人ＩＤは画像形成装置５０に対して送信されるユーザ識別情報として利用され、生体認証データは端末装置１０を利用するためのユーザ認証で利用される。なお、記憶部１４によって記憶される他の情報については後述する。
【００３４】
操作情報受信部１５は、操作情報を受信する。より具体的には、操作情報受信部１５は、機器通信部１２を介して、画像形成装置５０に印刷処理を実行させるためのユーザ操作によって設定された情報を表す操作情報を、画像形成装置５０から受信する。かかる操作情報は、画像形成装置５０の操作画面を利用して印刷が行なわれたときに、端末装置１０を所有するユーザによる操作で設定された印刷設定情報を指す。つまり、操作情報は、用紙のサイズ（倍率）、片面印刷、両面印刷、カラー印刷、白黒印刷等の項目について、ユーザ操作によりどのような設定がなされたかを表す情報である。例を挙げると、操作情報は、カラー印刷・白黒印刷について「カラー」、片面・両面印刷について「両面」、用紙のサイズ（倍率）について「Ａ４」等の情報となる。そして、操作情報受信部１５は、受信した操作情報を記憶部１４の印刷設定情報テーブルに格納する。かかる印刷設定情報テーブルについては後述する。なお、操作情報は、画像形成装置５０の操作画面を利用して印刷が行なわれた後に、ユーザによって画像形成装置５０の所定位置に端末装置１０が再度かざされたときに受信される。画像形成装置５０の所定位置に端末装置１０が再度かざされたときにも、ユーザ情報送信部１３によってユーザ情報が送信される。
【００３５】
表示制御部１６は、操作表示部１７による各種情報の表示を制御する。より具体的には、表示制御部１６は、記憶部１４によって記憶された操作情報に対応する印刷設定画像を操作表示部１７に表示する制御を行なう。操作情報に対応する印刷設定画像は、第１設定画像の一例である。なお、操作情報に対応する印刷設定画像の表示制御は、認証部１１によってユーザ認証が成功した後に、操作表示部１７でのユーザ操作に応じて実行される。すなわち、表示制御部１６は、認証部１１によるユーザ認証が成功したときに、操作表示部１７において印刷設定画面を表示するためのユーザ操作が行なわれた場合に、記憶部１４から操作情報を取得する。そして、表示制御部１６は、取得した操作情報に対応する印刷設定画像を生成し、生成した印刷設定画像を操作表示部１７に表示する制御を行なう。
【００３６】
ここで、操作情報に対応する印刷設定画像について、端末装置１０の操作画面例を用いて説明する。図７は、実施の形態１に係る端末装置１０の操作画面例を示す図である。図７に示すように、端末装置１０の操作画面には、「簡単印刷」の対象である簡単印刷ボタン１０３〜簡単印刷ボタン１０７と、決定ボタン１０８とが表示される。「簡単印刷」とは、用紙のサイズ（倍率）、片面印刷、両面印刷、カラー印刷、白黒印刷等の印刷設定のための各項目をひとつずつ選択しなくても、各項目がまとめられたオブジェクト（簡単印刷ボタン）を選択すれば印刷設定できることを指す。また、「簡単印刷」の対象は、記憶部１４によって記憶された操作情報に対応する。すなわち、簡単印刷ボタンを利用すれば、少なくとも一度、画像形成装置５０の操作画面を操作して設定された印刷設定と同一の設定によって印刷処理を指示することができる。なお、簡単印刷ボタンの数は、図示した数に限られるものではない。
【００３７】
例を挙げると、簡単印刷ボタン１０３では、カラー印刷・白黒印刷について「カラー」、片面・両面印刷について「両面」、用紙のサイズ（倍率）について「Ａ４」とする印刷設定が可能である。また、簡単印刷ボタン１０４では、カラー印刷・白黒印刷について「白黒」、片面・両面印刷について「片面」、用紙のサイズ（倍率）について「Ａ５」とする印刷設定が可能である。ユーザは、何れかの簡単印刷ボタンを押下し、決定ボタン１０８を押下する。
【００３８】
操作表示部１７は、各種情報を表示するとともに、ユーザ操作を入力する。より具体的には、操作表示部１７は、表示制御部１６による制御により、印刷設定画像を表示する。また、操作表示部１７は、印刷設定画像を用いて行なわれたユーザ操作（簡単印刷ボタン何れかの押下と、決定ボタン１０８の押下とのユーザ操作）に応じて印刷設定情報を入力し、設定受付部１８に対して出力する。
【００３９】
設定受付部１８は、印刷設定情報を受け付ける。より具体的には、設定受付部１８は、操作表示部１７によって出力された印刷設定情報を受け付けて、記憶部１４の印刷設定情報テーブルの対応する印刷設定情報にフラグをたてる。図８は、端末装置１０の印刷設定情報テーブルの情報例を示す図である。図８に示すように、端末装置１０の印刷設定情報テーブルには、操作ＩＤと、印刷設定ＩＤと、印刷設定情報との情報が含まれる。
【００４０】
操作ＩＤは、図７に示した端末装置１０の操作画面のうち、「簡単印刷」の対象である簡単印刷ボタンに対応する識別情報である。例えば、簡単印刷ボタン１０３に対応する識別情報は操作ＩＤ「１」であり、簡単印刷ボタン１０４に対応する識別情報は操作ＩＤ「２」である。印刷設定ＩＤは、画像形成装置５０の操作画面で操作される設定ボタンそれぞれに対応する識別情報である。例えば、カラー印刷及び白黒印刷の設定ボタンに対応する識別情報は印刷設定ＩＤ「１」であり、片面印刷及び両面印刷の設定ボタンに対応する識別情報は印刷設定ＩＤ「２」である。なお、画像形成装置５０の操作画面については後述する。印刷設定情報は、印刷設定に関する情報であり、カラー印刷・白黒印刷と、片面・両面印刷と、用紙のサイズ（倍率）と、送信フラグとの情報を含む。送信フラグとは、画像形成装置５０に印刷処理を実行させるために送信すべき印刷設定情報であることを表すフラグ情報である。上述したように、設定受付部１８は、操作表示部１７によって出力された印刷設定情報に対応する送信フラグをたてる（送信フラグを“１”にする）。これにより、画像形成装置５０に実行させたい印刷処理が存在することがわかるとともに、画像形成装置５０に実行させたい印刷設定情報が何れであるかがわかる。また、上述したように、印刷設定情報テーブルに含まれる情報のうち、送信フラグ以外の情報については、操作情報を受信する操作情報受信部１５によって格納される。なお、送信フラグは、ユーザ操作によりクリアしても良いし、電源投入時や新たな操作情報の登録時、印刷設定情報の送信時にクリアしても良い。ユーザ操作による送信フラグのクリアは、端末装置１０の操作画面にクリアするか否かの問い合わせ画像を表示しても良い。
【００４１】
設定情報送信部１９は、印刷設定情報を画像形成装置５０に対して送信する。より具体的には、設定情報送信部１９は、画像形成装置５０から印刷設定情報の送信要求を受け付けた場合に、記憶部１４の印刷設定情報テーブルから送信フラグが設定されている印刷設定情報を取得する。そして、設定情報送信部１９は、機器通信部１２を介して、個人ＩＤとともに、印刷設定情報を画像形成装置５０に対して送信する。図９は、実施の形態１に係る設定情報送信部１９によって送信される情報例を説明する図である。図９に示すように、設定情報送信部１９によって送信される情報は、個人ＩＤと、印刷設定情報との情報を含む。例えば、個人ＩＤは３２バイト以内の情報であり、印刷設定情報は数十バイト以内の情報である。なお、設定情報送信部１９は、送信する個人ＩＤを適宜クリアし、印刷設定情報の送信のときに、ユーザ情報テーブルから個人ＩＤを取得して設定する。
【００４２】
また、図５に示すように、画像形成装置５０は、端末通信部５１と、ユーザ情報受信部５２と、状態判定部５３と、表示制御部５４と、操作表示部５５と、操作判定部５６と、操作受付部５７と、記憶部５８と、印刷処理部５９と、操作情報送信部６０と、設定判定部６１と、設定情報受信部６２とを有する。
【００４３】
端末通信部５１は、端末装置１０と通信する。より具体的には、端末通信部５１は、ＮＦＣ等により、画像形成装置５０から所定の範囲（例えば、数センチメートルから１メートル程度）内に存在する端末装置１０と近距離無線通信を行ない、各種情報を送受信する。
【００４４】
ユーザ情報受信部５２は、ユーザ識別情報を受信する。より具体的には、ユーザ情報受信部５２は、端末通信部５１を介して、端末装置１０を所有するユーザを識別する社員番号等の個人ＩＤを受信する。すなわち、ユーザ情報受信部５２は、ユーザによって画像形成装置５０の所定位置に端末装置１０がかざされ、端末装置１０と画像形成装置５０とのＮＦＣによる通信が確立された後に、端末通信部５１を介して個人ＩＤを受信する。
【００４５】
状態判定部５３は、ユーザがログイン状態であるか否かを判定する。より具体的には、状態判定部５３は、ユーザ情報受信部５２によって受信された個人ＩＤについて、画像形成装置５０に現在ログインしている個人ＩＤであるか否かを判定する。そして、状態判定部５３は、ログイン状態であるか否かの判定結果を、表示制御部５４や操作情報送信部６０、設定判定部６１に対して出力する。なお、現在ログインしている個人ＩＤが存在しなければ個人ＩＤの照合は行なわれず、ログイン状態でないと判定される。ログイン状態でなければ、対象の個人ＩＤについてログインが実行される。また、状態判定部５３は、印刷処理部５９から操作情報に応じた印刷処理が実行されたことの通知を受け付ける。ログイン状態であるか否かの判定結果の操作情報送信部６０に対する出力は、操作情報に応じた印刷処理が実行されたことの通知が受け付けられたときに実行される。なお、操作情報に応じた印刷処理については後述する。
【００４６】
表示制御部５４は、操作表示部５５による各種情報の表示を制御する。より具体的には、表示制御部５４は、状態判定部５３によって現在ログインしている個人ＩＤでないと判定された場合に、画像形成装置５０で設定可能な印刷設定情報に対応する印刷設定画像を操作表示部５５に表示する制御を行なう。印刷設定情報に対応する印刷設定画像は、第２設定画像の一例である。なお、画像形成装置５０で設定可能な印刷設定情報とは、画像形成装置５０で実行可能な印刷機能やコピー機能に対応する設定情報のことである。
【００４７】
図１０は、実施の形態１に係る画像形成装置５０の操作画面例を示す図である。図１０に示すように、画像形成装置５０の操作画面には、カラー印刷若しくは白黒印刷を設定する「色」の項目と、両面印刷若しくは片面印刷を設定する「印刷面」の項目とが表示される。加えて、画像形成装置５０の操作画面には、用紙のサイズを設定する「倍率」の項目と、印刷処理を開始するトリガとなるスタートボタンとが表示される。ユーザは、各項目について設定内容を選択し、スタートボタンを押下する。これにより、画像形成装置５０は、選択された印刷設定情報に応じた印刷処理が開始される。
【００４８】
操作表示部５５は、各種情報を表示するとともに、ユーザ操作を入力する。より具体的には、操作表示部５５は、表示制御部５４による制御により、印刷設定画像を表示する。また、操作表示部５５は、印刷設定画像を用いて行なわれたユーザ操作（各設定項目のボタンの押下と、スタートボタンの押下とのユーザ操作）に応じて操作情報を入力し、操作判定部５６を介して操作受付部５７に対して出力する。
【００４９】
操作判定部５６は、ユーザ操作が行なわれたか否かを判定する。より具体的には、操作判定部５６は、操作表示部５５によって操作画面が表示されてから、一定時間の間にユーザ操作が行なわれたか否かを判定する。そして、操作判定部５６は、ユーザ操作が行なわれたか否かの判定結果を設定判定部６１に対して出力する。操作判定部５６による判定処理は、印刷処理の実行について、画像形成装置５０の操作画面を用いた印刷処理を実行するのか、端末装置１０の操作画面を用いた印刷処理を実行するのかを判定するものである。
【００５０】
操作受付部５７は、操作情報を受け付ける。より具体的には、操作受付部５７は、操作表示部５５によって出力された操作情報を受け付けて、記憶部５８の操作情報テーブルに格納する。記憶部５８は、画像形成装置５０による処理で利用される各種情報を記憶する。例えば、記憶部５８は、操作情報テーブルを保持する。図１１は、画像形成装置５０の操作情報テーブルの情報例を示す図である。図１１に示すように、画像形成装置５０の操作情報テーブルには、操作ＩＤと、印刷設定ＩＤと、操作情報との情報が含まれる。
【００５１】
操作ＩＤは、図１０に示した画像形成装置５０の操作画面を用いた一連の操作情報を識別するための情報である。例えば、色「カラー」、印刷面「両面」、倍率「Ａ４」といった一連の操作が行なわれた場合には、この一連の操作の識別情報を操作ＩＤ「１」とする。同様に、色「白黒」、印刷面「片面」、倍率「Ａ５」といった一連の操作が行なわれた場合には、この一連の操作の識別情報を操作ＩＤ「２」とする。印刷設定ＩＤは、画像形成装置５０の操作画面で操作される設定ボタンそれぞれに対応する識別情報である。例えば、カラー印刷及び白黒印刷の設定ボタンに対応する識別情報は印刷設定ＩＤ「１」であり、片面印刷及び両面印刷の設定ボタンに対応する識別情報は印刷設定ＩＤ「２」である。操作情報は、画像形成装置５０の操作画面で行なわれたユーザ操作に関する情報であり、カラー印刷・白黒印刷と、片面・両面印刷と、用紙のサイズ（倍率）との情報を含む。
【００５２】
印刷処理部５９は、印刷処理を実行する。より具体的には、印刷処理部５９は、操作受付部５７によって受け付けられた操作情報に基づいて、印刷処理を実行する。すなわち、印刷処理部５９は、画像形成装置５０の操作画面を用いて設定された印刷設定をもとに、印刷処理を実行する。そして、印刷処理部５９は、操作情報に基づいて印刷処理を実行したことを状態判定部５３に対して出力する。上述したように、状態判定部５３は、操作情報に応じた印刷処理が実行されたことの通知が受け付けられたときに、ログイン状態であるか否かの判定結果を操作情報送信部６０に対して出力する。
【００５３】
操作情報送信部６０は、操作情報に応じた印刷処理の実行後に、操作情報を端末装置１０に対して送信する。より具体的には、操作情報送信部６０は、状態判定部５３によってユーザがログイン状態であると判定された場合に、記憶部５８の操作情報テーブルから操作情報を取得し、端末通信部５１を介して、取得した操作情報を端末装置１０に対して送信する。状態判定部５３によってユーザがログイン状態であることが通知されるときは、上述したように、印刷処理部５９によって操作情報に応じた印刷処理が実行されたことの通知が該状態判定部５３によって受け付けられたときである。すなわち、ログイン状態であるときに、操作情報に応じた印刷処理の実行後に、画像形成装置５０の所定位置に端末装置１０が再度かざされると、画像形成装置５０は、印刷処理を実行したときに利用した操作情報を端末装置１０に対して送信する。
【００５４】
設定判定部６１は、操作情報に対応する第１設定画面を用いた印刷設定が端末装置１０で行なわれているか否かを判定する。より具体的には、設定判定部６１は、操作判定部５６によって画像形成装置５０の操作画面でユーザ操作が行なわれていないと判定された状態において、状態判定部５３によってユーザがログイン状態である旨の判定結果を受け付ける。そして、設定判定部６１は、端末通信部５１を介して端末装置１０にアクセスし、端末装置１０の操作画面を用いた簡単印刷による印刷設定が端末装置１０で行なわれているか否かを判定する。簡単印刷による印刷設定が端末装置１０で行なわれているか否かについては、端末装置１０の印刷設定情報テーブルに保持された送信フラグが存在するか否かを判定すれば良い。すなわち、ログイン状態において、簡単印刷による印刷設定が行なわれ、画像形成装置５０の所定位置に端末装置１０が再度かざされたときに、画像形成装置５０の操作画面でユーザ操作が行なわれていない場合には、簡単印刷による印刷処理を実行させたいものとする。そして、設定判定部６１は、端末装置１０の印刷設定情報テーブルに送信フラグが存在する場合に、端末通信部５１を介して、印刷設定情報の送信要求を端末装置１０に対して行なう。
【００５５】
設定情報受信部６２は、印刷設定情報を受信する。より具体的には、設定情報受信部６２は、設定判定部６１による印刷設定情報の送信要求に応じて、端末通信部５１を介して、端末装置１０から印刷設定情報を受信する。設定情報受信部６２によって受信される印刷設定情報は、送信フラグがたてられている印刷設定情報である。そして、設定情報受信部６２は、受信した印刷設定情報を印刷処理部５９に対して出力する。
【００５６】
また、印刷処理部５９は、設定情報受信部６２によって出力された印刷設定情報に基づいて、印刷処理を実行する。すなわち、印刷処理部５９は、端末装置１０の操作画面を用いて簡単印刷により設定された印刷設定をもとに、印刷処理を実行する。
【００５７】
［実施の形態１に係る画像形成装置による処理］
次に、図１２、図１３及び図１４を用いて、実施の形態１に係る画像形成装置５０による処理の流れについて説明する。図１２は、実施の形態１に係る画像形成装置５０の操作画面を用いた印刷処理の流れの例を示すフローチャートである。図１３は、実施の形態１に係る画像形成装置５０による操作情報の送信処理の流れの例を示すフローチャートである。図１４は、実施の形態１に係る端末装置１０の操作画面を用いた印刷処理の流れの例を示すフローチャートである。
【００５８】
図１２に示すように、端末通信部５１を介して、ユーザ情報受信部５２によって個人ＩＤが受信された場合に（ステップＳ１０１：Ｙｅｓ）、状態判定部５３はログインを受け付け、表示制御部５４は、画像形成装置５０で設定可能な印刷設定情報に対応する印刷設定画像を操作表示部５５に表示する（ステップＳ１０２）。このとき、ユーザ情報受信部５２は、個人ＩＤを受信していない場合に（ステップＳ１０１：Ｎｏ）、該個人ＩＤの受信待ちの状態となる。
【００５９】
そして、操作判定部５６は、操作表示部５５に表示された印刷設定画像において、ユーザ操作を受け付けたか否かを判定するとともに（ステップＳ１０３）、スタートボタンが押下されたか否かを判定する（ステップＳ１０４）。操作受付部５７は、操作判定部５６によってユーザ操作が受け付けられた（ステップＳ１０３：Ｙｅｓ）、及び、スタートボタンが押下されたと判定された場合に（ステップＳ１０４：Ｙｅｓ）、操作表示部５５において入力された操作情報を受け付け、操作情報を記憶部５８の操作情報テーブルに格納する（ステップＳ１０５）。
【００６０】
また、操作判定部５６によってユーザ操作を受け付けていないと判定された場合には（ステップＳ１０３：Ｎｏ）、図１４に示す「Ｃ」の処理フローに移行する。また、操作判定部５６は、スタートボタンが押下されないと判定した場合に（ステップＳ１０４：Ｎｏ）、ステップＳ１０３の処理を再度実行する。その後、印刷処理部５９は、操作受付部５７によって受け付けられた操作情報に応じた印刷処理を実行する（ステップＳ１０６）。印刷処理の実行後は、図１３に示す「Ｂ」の処理フローに移行する。なお、操作情報に応じた印刷処理の実行時に、印刷処理部５９は、操作情報に応じて印刷処理を実行したことを状態判定部５３に対して通知する。図１２に示した処理フローにより、画像形成装置５０の操作画面を用いた印刷処理が実行される。
【００６１】
図１３に示すように、操作情報に応じた印刷処理の実行後に、端末通信部５１を介して、ユーザ情報受信部５２によって個人ＩＤが受信された場合に（ステップＳ２０１：Ｙｅｓ）、状態判定部５３は、受信された個人ＩＤが現在ログインしている個人ＩＤと同一であるか否かを判定する（ステップＳ２０２）。状態判定部５３は、印刷処理部５９から、操作情報に応じて印刷処理を実行したことの通知を受け付けているものとする。このとき、状態判定部５３によって現在ログインしている個人ＩＤと同一であると判定された場合に（ステップＳ２０２：Ｙｅｓ）、操作情報送信部６０は、記憶部５８の操作情報テーブルから操作情報を取得し、端末通信部５１を介して、取得した操作情報を端末装置１０に対して送信する（ステップＳ２０３）。
【００６２】
また、ユーザ情報受信部５２によって個人ＩＤが受信されない場合には（ステップＳ２０１：Ｎｏ）、図１２に示す「Ａ」の処理フローに移行する。また、状態判定部５３によって個人ＩＤが現在ログインしている個人ＩＤと同一でないと判定された場合には（ステップＳ２０２：Ｎｏ）、図１２に示す「Ａ」の処理フローに移行する。図１３に示した処理フローにより、画像形成装置５０の操作画面を用いた印刷処理時に設定された印刷設定の情報を含む操作情報が端末装置１０に対して送信される。なお、画像形成装置５０は、端末装置１０から受信した個人ＩＤを、図１３に示す「エンド」になるまで一時的に保持しておく。
【００６３】
図１４に示すように、操作判定部５６によってユーザ操作が受け付けられていない状態において、端末通信部５１を介して、ユーザ情報受信部５２によって個人ＩＤが受信された場合に（ステップＳ３０１：Ｙｅｓ）、状態判定部５３は、受信された個人ＩＤが現在ログインしている個人ＩＤと同一であるか否かを判定する（ステップＳ３０２）。このとき、状態判定部５３によって現在ログインしている個人ＩＤと同一であると判定された場合に（ステップＳ３０２：Ｙｅｓ）、設定判定部６１は、端末通信部５１を介して端末装置１０にアクセスし、端末装置１０の印刷設定情報テーブルに保持された送信フラグが存在するか（送信フラグが“１”であるか）否かを判定する（ステップＳ３０３）。
【００６４】
設定判定部６１は、送信フラグが“１”であると判定した場合に（ステップＳ３０３：Ｙｅｓ）、端末通信部５１を介して、印刷設定情報の送信要求を端末装置１０に対して行なう（ステップＳ３０４）。これにより、端末通信部５１を介して、設定情報受信部６２によって印刷設定情報が受信された場合に（ステップＳ３０５：Ｙｅｓ）、印刷処理部５９は、印刷設定情報に基づいて印刷処理を実行する（ステップＳ３０６）。一方、設定情報受信部６２によって印刷設定情報が受信されない場合には（ステップＳ３０５：Ｎｏ）、設定判定部６１によって印刷設定情報の送信要求が再度実行される（ステップＳ３０４）。
【００６５】
また、ユーザ情報受信部５２によって個人ＩＤが受信されない場合には（ステップＳ３０１：Ｎｏ）、図１２に示す「Ａ」の処理フローに移行する。また、状態判定部５３によって現在ログインしている個人ＩＤと同一でないと判定された場合には（ステップＳ３０２：Ｎｏ）、図１２に示す「Ａ」の処理フローに移行する。また、設定判定部６１によって送信フラグが“１”でないと判定された場合には（ステップＳ３０３：Ｎｏ）、図１２に示す「Ａ」の処理フローに移行する。図１４に示した処理フローにより、端末装置１０の操作画面を用いて設定された簡単印刷に応じた印刷処理が実行される。なお、画像形成装置５０は、端末装置１０から受信した個人ＩＤを、図１４に示す「エンド」になるまで一時的に保持しておく。
【００６６】
［実施の形態１に係る端末装置による処理］
次に、図１５を用いて、実施の形態１に係る端末装置１０による処理の流れについて説明する。図１５は、実施の形態１に係る端末装置１０における処理の流れの例を示すフローチャートである。
【００６７】
図１５に示すように、設定情報送信部１９は、印刷設定情報とともに送信する個人ＩＤをクリアする（ステップＳ４０１）。認証部１１は、生体情報の入力を受け付けた場合に（ステップＳ４０２：Ｙｅｓ）、受け付けた生体情報と、記憶部１４に記憶されている生体情報とを比較し、認証が正常に完了したか否かを判定する（ステップＳ４０３）。そして、認証部１１によって認証が正常に完了したと判定された場合に（ステップＳ４０３：Ｙｅｓ）、設定情報送信部１９は、送信する個人ＩＤをユーザ情報テーブルの個人ＩＤに更新する（ステップＳ４０４）。ここで、ユーザ情報送信部１３は、機器通信部１２を介して、個人ＩＤを画像形成装置５０に対して送信する。これにより、ユーザは、画像形成装置５０の操作画面を用いて印刷設定を行なう。印刷設定を受け付けた画像形成装置５０では、印刷設定に応じた印刷処理が実行される。
【００６８】
また、認証部１１は、生体情報の入力を受け付けていない場合に（ステップＳ４０２：Ｎｏ）、該生体情報の入力待ちの状態となる。また、認証部１１によって生体認証が正常に完了しないと判定された場合に（ステップＳ４０３：Ｎｏ）、生体認証が一致しないユーザによる操作は受け付けられないため、ステップＳ４０１の処理を再度実行する。続いて、操作情報受信部１５は、画像形成装置５０から操作情報を受信した場合に（ステップＳ４０５：Ｙｅｓ）、受信した操作情報を記憶部１４の印刷設定情報テーブルに格納する（ステップＳ４０６）。
【００６９】
一方、操作情報受信部１５によって操作情報が受信されない場合に（ステップＳ４０５：Ｎｏ）、設定受付部１８は、操作表示部１７に表示された簡単印刷のメニューを用いたユーザ操作を受け付けたか否かを判定する（ステップＳ４０７）。そして、設定受付部１８は、ユーザ操作を受け付けたと判定した場合に（ステップＳ４０７：Ｙｅｓ）、記憶部１４の印刷設定情報テーブルの対応する印刷設定情報の送信フラグを“１”に更新する（ステップＳ４０８）。また、設定受付部１８によってユーザ操作を受け付けていないと判定された場合には（ステップＳ４０７：Ｎｏ）、ステップＳ４０２の処理が再度実行される。これにより、画像形成装置５０は、簡単印刷による印刷処理を実行したいことを認識できる。
【００７０】
設定情報送信部１９は、記憶部１４の印刷設定情報テーブルから、送信フラグが“１”である印刷設定情報を取得し、個人ＩＤに対応付けて送信する印刷設定情報を設定する（ステップＳ４０９）。そして、設定情報送信部１９は、画像形成装置５０から印刷設定情報の送信要求を受信した場合に（ステップＳ４１０：Ｙｅｓ）、機器通信部１２を介して、設定した印刷設定情報を画像形成装置５０に対して送信する（ステップＳ４１１）。また、設定情報送信部１９によって印刷設定情報の送信要求が受信されない場合には（ステップＳ４１０：Ｎｏ）、ステップＳ４０２の処理が再度実行される。これにより、画像形成装置５０では、簡単印刷による印刷処理が実行される。
【００７１】
［実施の形態１による効果］
印刷システム１によれば、画像形成装置５０の操作画面を用いて印刷処理を実行したときの印刷設定を端末装置１０に登録しておき、次回から、登録された印刷設定に応じた印刷処理を行なえるので、印刷設定のための操作を容易にすることができる。また、印刷システム１によれば、端末装置１０を利用するたびにユーザ認証処理を実行するので、セキュリティの向上をはかることができる。
【００７２】
（実施の形態２）
さて、これまで本発明に係る印刷システム１の実施の形態について説明したが、上述した実施の形態以外にも種々の異なる形態にて実施されて良いものである。そこで、（１）端末装置を用いた印刷設定、（２）構成、について異なる実施の形態を説明する。
【００７３】
（１）端末装置を用いた印刷設定
上記実施の形態では、図７に示した端末装置１０の操作画面で簡単印刷による印刷設定を行なう場合を説明した。簡単印刷において、複数の簡単印刷ボタンは、操作情報の受信時間に応じて順に表示するようにしても良い。複数の簡単印刷ボタンの表示について、図７を用いて説明する。例えば、以下の日時で操作情報を受信したものとする。
２０１３／０１／３１  ０９：００に、白黒、両面、Ａ３
２０１３／０２／０１  １０：００に、カラー、片面、Ａ５
２０１３／０２／０１  １５：００に、白黒、両面、Ｂ５
２０１３／０２／０３  ２２：００に、白黒、片面、Ａ５
２０１３／０２／０４  １３：００に、カラー、両面、Ａ４
これらから、最後に受信された操作情報に対応する簡単印刷ボタンを上部に配置する。すなわち、簡単印刷ボタン１０３、簡単印刷ボタン１０４、簡単印刷ボタン１０５、簡単印刷ボタン１０６、簡単印刷ボタン１０７の順（図７に示した順）に上部から配置する。また、端末装置１０の操作画面において、過去に受信した操作情報に対応する簡単印刷ボタンの表示数を設定できる。図７に示した例において、簡単印刷ボタンの表示数は、過去５回分となっている。また、簡単印刷ボタンを用いた印刷設定が行なわれた場合には、印刷設定が行なわれた簡単印刷ボタンを上部に配置する等、配置の順序を適宜変更するようにしても良い。これらにより、連続して同様の印刷設定を行なう場合に、ユーザ操作の操作性を向上させることができる。
【００７４】
また、上記実施の形態では、一度、画像形成装置５０の操作画面を用いて印刷設定を行なう場合を説明した。画像形成装置５０の操作画面を用いた印刷設定の処理を、端末装置１０で行なうようにしても良い。図１６は、実施の形態２に係る端末装置１０の操作画面例を示す図である。図１６に示すように、端末装置１０の操作画面には、「簡単印刷」の対象である簡単印刷ボタンと、決定ボタンとが表示される。加えて、端末装置１０の操作画面には、「印刷設定」の対象である「色」の項目と、「印刷面」の項目と、「倍率」の項目と、スタートボタンとが表示される。「簡単印刷」に関する表示内容は図７と同様であり、「印刷設定」に関する表示内容は図１０と同様である。
【００７５】
画像形成装置５０の操作画面で行なわれていた印刷設定を端末装置１０の操作画面で行なう場合には、「印刷設定」の箇所が利用される。例えば、ユーザは、「印刷設定」の箇所を利用して印刷設定を行なう。これにより、ユーザ操作に応じた操作情報が画像形成装置５０に送信される。画像形成装置５０では、受信した操作情報が記録される。加えて、画像形成装置５０では、操作情報に応じて印刷処理が実行されるとともに、操作情報を端末装置１０に対して送信する。端末装置１０では、受信した操作情報が記録される。これらにより、端末装置１０では、操作情報に対応する「簡単印刷」の画面が生成及び表示されることになる。
【００７６】
（２）構成
また、上記文書中や図面中等で示した処理手順、制御手順、具体的名称、各種のデータやパラメタ等を含む情報は、特記する場合を除いて任意に変更することができる。また、図示した各装置の各構成要素は、機能概念的なものであり、必ずしも物理的に図示の如く構成されていることを要しない。すなわち、各装置の分散又は統合の具体的形態は、図示のものに限られず、その全部又は一部を各種の負担や使用状況等に応じて、任意の単位で機能的又は物理的に、分散又は統合することができる。例えば、「簡単印刷」の名称や、簡単印刷ボタンの表示内容については、任意に変更することができる。
【符号の説明】
【００７７】
１  印刷システム
１０  端末装置
１１  認証部
１２  機器通信部
１３  ユーザ情報送信部
１４  記憶部
１５  操作情報受信部
１６  表示制御部
１７  操作表示部
１８  設定受付部
１９  設定情報送信部
５０  画像形成装置
５１  端末通信部
５２  ユーザ情報受信部
５３  状態判定部
５４  表示制御部
５５  操作表示部
５６  操作判定部
５７  操作受付部
５８  記憶部
５９  印刷処理部
６０  操作情報送信部
６１  設定判定部
６２  設定情報受信部
【先行技術文献】
【特許文献】
【００７８】
【特許文献１】特開２００４−２９５３２５号公報
【図１】
2014219784.tif 000003
【図２】
2014219784.tif 000004
【図３】
2014219784.tif 000005
【図４】
2014219784.tif 000006
【図５】
2014219784.tif 000007
【図６】
2014219784.tif 000008
【図７】
2014219784.tif 000009
【図８】
2014219784.tif 000010
【図９】
2014219784.tif 000011
【図１０】
2014219784.tif 000012
【図１１】
2014219784.tif 000013
【図１２】
2014219784.tif 000014
【図１３】
2014219784.tif 000015
【図１４】
2014219784.tif 000016
【図１５】
2014219784.tif 000017
【図１６】
2014219784.tif 000018